(57)【要約】【課題】磁石によって装飾具を取り付ける付着型装飾具であって、安定して装着され幅広い被装飾物に用いることはできる付着型装飾具を提供すること。【解決手段】表面２１の装飾を露出させて装飾するものであり、裏面２２に固定された第１の磁石４と、第１の磁石４との間で被挟物５を挟む第２の磁石３とを備え、第１の磁石４及び第２の磁石３は、ネオジム磁石、フェライト磁石又はサマリウムコバルト磁石であることを特徴とする、付着型装飾具１を提供する。【選択図】図６
2019209075.tif 000002
【特許請求の範囲】
【請求項１】
表面の装飾を露出させて装飾するものであり、
裏面に固定された第１の磁石と、
前記第１の磁石との間で被挟物を挟む第２の磁石とを備え、
前記第１の磁石及び前記第２の磁石は、ネオジム磁石、フェライト磁石又はサマリウムコバルト磁石であることを特徴とする、付着型装飾具。
【請求項２】
前記第１の磁石の前記裏面から露出した第１の面と、前記第２の磁石の前記第１の磁石に磁着する第２の面とは、同形同大であることを特徴とする、請求項１に記載の付着型装飾具。
【請求項３】
前記第１の面及び前記第２の面は、円形であることを特徴とする、請求項２に記載の付着型装飾具。
【発明の詳細な説明】
【技術分野】
【０００１】
本発明は、衣服、鞄等に付着させて装飾を施す付着型装飾具に関する。
【背景技術】
【０００２】
ワッペン、ブローチ等の装飾具を、衣類に付着させてファッション性を高めることが行われる。衣類に限らず、鞄や髪の毛に装飾具を付着させることもある。
【０００３】
装飾具を付着させるためには、安全ピンを用いて止める、縫い付ける等の方法が用いられる。しかし、ＴＰＯによって装飾具を変更する、１つの装飾具を２つ以上の衣類に用いる、その他の理由で装飾具は着脱される。その際、装飾物を付着される物（衣類等）が傷んでしまうことがある。
【０００４】
この点、特許文献１には、磁石によって装飾部材を取り付けるヘアアクセサリが開示されている。装飾物を付着される物が傷んでしまうことが少ないものである。
【０００５】
しかし、磁石によって装飾具を取り付けると、磁石の磁力が不足して装飾具がずれてしまったり、外れて落下してしまったり可能性がある。
【先行技術文献】
【特許文献】
【０００６】
【特許文献１】特開２００７−０１４６６４号公報
【発明の概要】
【発明が解決しようとする課題】
【０００７】
本発明は、磁石によって装飾具を取り付ける付着型装飾具であって、安定して装着され幅広い被装飾物に用いることはできる付着型装飾具を提供することを課題とする。
【課題を解決するための手段】
【０００８】
本発明の付着型装飾具は、
表面の装飾を露出させて装飾するものであり、
裏面に固定された第１の磁石と、
前記第１の磁石との間で被挟物を挟む第２の磁石とを備え、
前記第１の磁石及び前記第２の磁石は、ネオジム磁石、フェライト磁石又はサマリウムコバルト磁石であることを特徴とする。
【０００９】
この特徴によれば、強力なネオジム磁石、フェライト磁石又はサマリウムコバルト磁石によって被挟物を挟み、付着型装飾具を安定して装着することができる。また、鞄等の厚手の被挟物に装着することもできる。
【００１０】
本発明の付着型装飾具は、
前記第１の磁石の前記裏面から露出した第１の面と、前記第２の磁石の前記第１の磁石に磁着する第２の面とは、同形同大であることを特徴とする。
【００１１】
この特徴によれば、第１の磁石と第２の磁石とを正確に合わせて装着することが容易にできる。
【００１２】
本発明の付着型装飾具は、
前記第１の面及び前記第２の面は、円形であることを特徴とする。
【００１３】
この特徴によれば、第２の磁石が回転しても、第１の磁石と第２の磁石とを正確に合わせて装着することができる。
【発明の効果】
【００１４】
本発明によれば、磁石によって装飾具を取り付ける付着型装飾具であって、安定して装着され幅広い被装飾物に用いることはできる付着型装飾具を提供することが可能となる。
【図面の簡単な説明】
【００１５】
【図１】図１は、付着型装飾具を示す正面図である。
【図２】図２は、付着型装飾具を示す背面図である。
【図３】図３は、付着型装飾具を示す側面図である。
【図４】図４は、付着型装飾具の構成を示す断面図である。
【図５】図５は、第１の磁石と第２の磁石の着脱を説明するための図である。
【図６】図６は、付着型装飾具の使用方法を説明するための図である。
【発明を実施するための形態】
【００１６】
以下、本発明の一実施形態について説明する。
【００１７】
付着型装飾具１は、本体２、第１の磁石４及び第２の磁石３を備える。
【００１８】
図１は、付着型装飾具を示す正面図である。付着型装飾具１を、本体２の表面２１の側から見た図である。
【００１９】
特に図示しないが、表面２１には装飾が施されている。また、本体２（表面２１）の形状は、ハート型に限らず、任意のものとしてよい。
【００２０】
図２は、付着型装飾具を示す背面図である。本体２の裏面２２の側から見た図である。裏面２２の中央に、第２の磁石３が見える。
【００２１】
図３は、付着型装飾具を示す側面図である。第２の磁石３は、本体２の裏面２２側に磁着している。
【００２２】
図４は、付着型装飾具の構成を示す断面図である。図１におけるＡ−Ａ線の断面を示す。第１の磁石４が、本体２の裏面２２の側に固定されている。第１の磁石４の本体２から露出した第１の面４１と、第２の磁石３の１面である第２の面３１とが接して磁着している。
【００２３】
図５は、第１の磁石と第２の磁石の着脱を説明するための図である。第１の磁石と第２の磁石の磁着を外すと、本体２の裏面２２には第１の磁石４（第１の面４１）が露出する。第２の磁石３は、分離される。
【００２４】
ここで、第１の磁石４及び第２の磁石３は、本実施形態ではネオジム磁石とする。強力な磁石であればよく、フェライト磁石又はサマリウムコバルト磁石を用いることができる。
【００２５】
図に示すように、第１の面４１と第２の面３１とを同形同大とすることが、第１の磁石と第２の磁石とを正確に合わせて装着するために好ましい。特に、円形とすると、第２の磁石が回転しても、第１の磁石と第２の磁石とを正確に合わせて装着することができるので、より好ましい。
【００２６】
以下、付着型装飾具１の使用方法を説明する。図６は、付着型装飾具の使用方法を説明するための図である。
【００２７】
まず、図６（Ａ）の状態から、第２の磁石３を分離する。ネオジム磁石は強力であるので、図中白矢印の方向に引いて分離することは、通常の人力では困難である。図中黒矢印の方向にスライドさせて分離する。
【００２８】
次に、図６（Ｂ）に示すように、被挟物５を本体２と第２の磁石３との間に配する。被挟物５は、衣類、鞄等である。本体２を被挟物５の装飾したい箇所に配し、第２の磁石３を被挟物５の反対側の面に配すればよい。
【００２９】
その状態で、第１の磁石４（第１の面４１）と第２の磁石３（第２の面３１）とが接するようにする（図中白矢印の方向に磁着させる）。
【００３０】
ネオジム磁石は強力であるので、図６（Ｃ）の状態で安定して固定される。被挟物５が厚手のもの（例えば皮製の鞄）であっても安定する。
【産業上の利用可能性】
【００３１】
磁石によって装飾具を取り付ける付着型装飾具であって、安定して装着され幅広い被装飾物に用いることはできる付着型装飾具である。多くの個人による利用が考えられる。
【符号の説明】
【００３２】
１      付着型装飾具
２      本体
２１    表面
２２    裏面
３      第２の磁石
３１    第２の面
４      第１の磁石
４１    第１の面
５      被挟物
【図１】
2019209075.tif 000003
【図２】
2019209075.tif 000004
【図３】
2019209075.tif 000005
【図４】
2019209075.tif 000006
【図５】
2019209075.tif 000007
【図６】
2019209075.tif 000008